(57)【特許請求の範囲】
【請求項１】
棒状本体と、この棒状本体に取り付けられたネジ式ジャッキと、このジャッキと前記棒状本体の一端との間で当該棒状本体の長さ方向に離れた２カ所に取り付けられた一対の当て部材と、前記ジャッキと前記棒状本体の他端との間で当該棒状本体に取り付けられた第三当て部材とから成り、当該一対の当て部材の内、前記ジャッキに近い第一当て部材と前記第三当て部材には、前記ジャッキの先端金具による被矯正棒状部材の押し引き矯正方向に対し逆向きに当該被矯正棒状部材を受ける受け部が設けられ、前記ジャッキから遠い第二当て部材には、前記ジャッキの先端金具による被矯正棒状部材の押し引き矯正方向と同一向きに当該被矯正棒状部材を受ける受け部が設けられ、この第二当て部材は、前記棒状本体から抜き取り可能に構成されている、棒状部材の歪み取り装置。
【請求項２】
棒状本体と、この棒状本体に取り付けられたネジ式ジャッキと、このジャッキと前記棒状本体の一端との間で当該棒状本体の長さ方向に離れた２カ所に取り付けられた一対の当て部材と、前記ジャッキと前記棒状本体の他端との間で当該棒状本体に取り付けられた第三当て部材とから成り、当該一対の当て部材の内、前記ジャッキに近い第一当て部材と前記第三当て部材には、前記ジャッキの先端金具による被矯正棒状部材の押し引き矯正方向に対し逆向きに当該被矯正棒状部材を受ける受け部が設けられ、前記ジャッキから遠い第二当て部材には、前記ジャッキの先端金具による被矯正棒状部材の押し引き矯正方向と同一向きに当該被矯正棒状部材を受ける受け部が設けられ、前記第三当て部材は、前記棒状本体から抜き取り可能に構成されている、棒状部材の歪み取り装置。
【請求項３】
前記ジャッキ先端金具には、被矯正棒状部材に対し引き方向に係合する引き係合部が設けられ、前記第一当て部材と第三当て部材には、被矯正棒状部材を押し方向に受ける押し受け部が設けられ、前記第二当て部材には、被矯正棒状部材を引き方向に受ける引き係合部が設けられた、請求項１又は２に記載の棒状部材の歪み取り装置。
【請求項４】
前記ジャッキ先端金具には、被矯正棒状部材に対し押し方向に係合する押し係合部が設けられ、前記第一当て部材と第三当て部材には、被矯正棒状部材を引き方向に受ける引き受け部が設けられ、前記第二当て部材には、被矯正棒状部材を押し方向に受ける押し係合部が設けられた、請求項１又は２に記載の棒状部材の歪み取り装置。
【請求項５】
前記ジャッキの先端金具には、被矯正棒状部材に対し押し方向に係合する押し係合部と引き方向に係合する引き係合部とが設けられ、前記各当て部材には、被矯正棒状部材を引き方向に受ける引き受け部と押し方向に受ける押し受け部とが設けられている、請求項１〜４の何れか１項に記載の棒状部材の歪み取り装置。
【請求項６】
前記各当て部材は、棒状本体の長さ方向に位置変更固定自在に取り付けられている、請求項１〜５の何れか１項に記載の棒状部材の歪み取り装置。
【発明の詳細な説明】
【０００１】
【発明の属する技術分野】
本発明は、運搬用台車の荷台周囲に立設されるパネル等を構成している棒状部材の変形を矯正する歪み取り装置に関するものである。
【０００２】
【従来の技術】
運搬用台車の一例を図８に基づいて説明すると、四隅下側に移動用車輪４１を備えた荷台４２の三側辺に背パネル４３と左右両側パネル４４，４５とを立設し、前面には、着脱又は係脱自在な連結バー４６が架設された運搬用台車４７が知られている。具体的には、前記荷台４２は、着脱自在か又はパネル４３〜４５の内の１つの内側に重ねるように折り畳み可能に支持され、左右両側パネル４４，４５の内、少なくとも１つは、背パネル４３の内側に重ねるように折り畳み可能に支承される。
【０００３】
例えば上記のような構成の運搬用台車４７に使用されている各パネル４３〜４５は、主として台車全体の軽量化を図るために、パイプ材や形鋼等で形成された周囲枠４８と、この周囲枠４８に架設された複数段の横桟４９と、当該横桟４９と交差するように周囲枠４８に架設された複数本の縦桟５０とで格子状に構成されるのが一般的である。
【０００４】
【発明が解決しようとする課題】
上記のような運搬用台車等に使用されている格子構造のパネル４３〜４５は、トラック輸送時等においてロープ掛けにより固定されるようなとき、ロープの締め過ぎによりパネル４３〜４５の周囲枠４８等が内側に変形する場合が多い。このようなパネルの変形が生じたとき、従来は、手で周囲枠等の変形した箇所を外向きに引っ張ったり、ハンマーで外向きに打ち叩く等して、変形を元に戻す作業が行われていたが、その作業は作業者に多大の労力を強いるにもかかわらず、満足し得るような結果を得ることは容易でなかった。
【０００５】
勿論、他物がパネル４３〜４５の上に落下する等してパネル４３〜４５に下向きに過大外力が作用したような場合は、パネル４３〜４５の周囲枠４８等が外向きに湾曲変形することも考えられるが、このようなときも、その変形箇所を元に戻す作業は上記と同じ要領で行われていた。
【０００６】
【課題を解決するための手段】
本発明は上記のような従来の問題点を解消し得る棒状部材の歪み取り装置を提供することを目的とするものであって、請求項１に記載の発明では、後述する実施形態の参照符号を付して示すと、棒状本体１と、この棒状本体１に取り付けられたネジ式ジャッキ２と、このジャッキ２と前記棒状本体１の一端との間で当該棒状本体１の長さ方向に離れた２カ所に取り付けられた一対の当て部材７Ａ，７Ｂと、前記ジャッキ２と前記棒状本体１の他端との間で当該棒状本体１に取り付けられた第三当て部材７Ｃとから成り、当該一対の当て部材７Ａ，７Ｂの内、前記ジャッキ２に近い第一当て部材７Ａと前記第三当て部材７Ｃには、前記ジャッキ２の先端金具６による被矯正棒状部材Ｐの押し引き矯正方向に対し逆向きに当該被矯正棒状部材Ｐを受ける受け部１３又は１４が設けられ、前記ジャッキ２から遠い第二当て部材７Ｂには、前記ジャッキ２の先端金具６による被矯正棒状部材Ｐの押し引き矯正方向と同一向きに当該被矯正棒状部材Ｐを受ける受け部１４又は１３が設けられ、この第二当て部材７Ｂは、前記棒状本体１から抜き取り可能に構成されている。
【０００７】
又、請求項２に記載の発明では、棒状本体１と、この棒状本体１に取り付けられたネジ式ジャッキ２と、このジャッキ２と前記棒状本体１の一端との間で当該棒状本体１の長さ方向に離れた２カ所に取り付けられた一対の当て部材７Ａ，７Ｂと、前記ジャッキ２と前記棒状本体１の他端との間で当該棒状本体１に取り付けられた第三当て部材７Ｃとから成り、当該一対の当て部材７Ａ，７Ｂの内、前記ジャッキ２に近い第一当て部材７Ａと前記第三当て部材７Ｃには、前記ジャッキ２の先端金具６による被矯正棒状部材Ｐの押し引き矯正方向に対し逆向きに当該被矯正棒状部材Ｐを受ける受け部１３又は１４が設けられ、前記ジャッキ２から遠い第二当て部材７Ｂには、前記ジャッキ２の先端金具６による被矯正棒状部材Ｐの押し引き矯正方向と同一向きに当該被矯正棒状部材Ｐを受ける受け部１４又は１３が設けられ、前記第三当て部材７Ｃは、前記棒状本体１から抜き取り可能に構成される。
【０００８】
上記請求項１又は２に記載の本発明を実施するについて、具体的には、請求項３に記載のように、前記ジャッキ先端金具６には、被矯正棒状部材Ｐに対し引き方向に係合する引き係合部８を設け、前記第一当て部材７Ａと第三当て部材７Ｃには、被矯正棒状部材Ｐを押し方向に受ける押し受け部１３を設け、前記第二当て部材７Ｂには、被矯正棒状部材Ｐを引き方向に受ける引き係合部１４を設けることができるし、この逆に、請求項４に記載のように、前記ジャッキ先端金具６には、被矯正棒状部材Ｐに対し押し方向に係合する押し係合部１５を設け、前記第一当て部材７Ａと第三当て部材７Ｃには、被矯正棒状部材Ｐを引き方向に受ける引き受け部１４を設け、前記第二当て部材７Ｂには、被矯正棒状部材Ｐを押し方向に受ける押し係合部１３を設けることができる。
【０００９】
又、請求項５に記載のように前記ジャッキ２の先端金具６に、被矯正棒状部材Ｐに対し押し方向に係合する押し係合部１５と引き方向に係合する引き係合部８とを設けると共に、前記各当て部材７Ａ〜７Ｃにも、被矯正棒状部材Ｐを引き方向に受ける引き受け部１４と押し方向に受ける押し受け部１３とを設けることができる。
【００１０】
更に、何れの構成を採用する場合でも、請求項６に記載のように、各当て部材７Ａ〜７Ｃは、棒状本体１の長さ方向に位置変更固定自在に取り付けるのが望ましい。
【００１１】
【発明の実施の形態】
最初に本発明の基礎となった参考例を添付図の図１〜図４に基づいて説明すると、図１〜図３に示す第一参考例において、１は角パイプ利用の棒状本体であり、その長さ方向の一端寄り位置にネジ式ジャッキ２が取り付けられている。当該ジャッキ２は、棒状本体１に固着されたナット３を利用して構成した貫通ネジ孔に、棒状本体１の長さ方向に対し直角向きに螺合貫通させたネジ軸４と、このネジ軸４の外端に直角向きに取り付けられたハンドルバー５と、ネジ軸４の内端に、当該ネジ軸４の軸心の周りに相対回転自在に取り付けられた先端金具６とから構成されている。又、棒状本体１には、ジャッキ２と棒状本体１の一端との間で棒状本体１の長さ方向に移動固定自在な第一当て部材７Ａと第二当て部材７Ｂとが取り付けられている。
【００１２】
前記ジャッキ２の先端金具６には、棒状本体１と平行な向きの棒状部材Ｐをネジ軸４の軸心延長線上で引っ掛けて棒状本体１の方へ引き寄せるための角フック形の引き係合部８が設けられている。第一第二各当て部材７Ａ，７Ｂは、棒状本体１に移動のみ可能に外嵌され且つ固定ボルト９により任意位置で棒状本体１に固定できる摺動体１０と、この摺動体１０から前記ジャッキ２の先端金具６のある側に突設された支柱部材１１と、この支柱部材１１の先端に固着された先端金具１２とから成るもので、第一当て部材７Ａの先端金具１２には、棒状本体１と平行な向きの棒状部材Ｐに嵌合して当該棒状部材Ｐを棒状本体１から遠ざける押し方向に受けるコの字形の押し受け部１３が形成され、第二当て部材７Ｂの先端金具１２には、棒状本体１と平行な向きの棒状部材Ｐに嵌合して当該棒状部材Ｐを棒状本体１側に引き寄せる方向に受ける角フック形の引き受け部１４が形成されている。
【００１３】
使用方法について説明すると、図１に示すように、ジャッキ２の先端金具６を両当て部材７Ａ，７Ｂの先端金具１２の各受け部１３，１４を結ぶ線より適当量だけ外側（棒状本体２のある側とは反対側）に進出させた状態で、遊端部が一側方へ湾曲又は折曲変形している棒状部材Ｐの当該変形領域に対し、ジャッキ２の先端金具６の角フック形引き係合部８を引っ掛ける。そして棒状本体１を棒状部材Ｐと平行な向きにして、第一当て部材７Ａの先端金具１２のコの字形押し受け部１３を棒状部材Ｐの変形領域の始端部付近に嵌合させると共に、第二当て部材７Ｂの先端金具１２の角フック形引き受け部１３を棒状部材Ｐの変形領域から離れた適当箇所に嵌合させる。係る状態でハンドルバー５を利用してジャッキ２のネジ軸４を引き込み方向に回転操作し、当該ジャッキ２の先端金具６を棒状本体１の側へ引き寄せる。この結果、棒状部材Ｐの変形領域の始端部付近、即ち、第一当て部材７Ａの押し受け部１３との当接箇所を支点にして棒状部材Ｐに回転力が与えられるが、その回転力が第二当て部材７Ｂの引き受け部１４で受け止められるので、結局、棒状部材Ｐの変形領域が、ジャッキ２の角フック形引き係合部８によって、第一当て部材７Ａの押し受け部１３との当接箇所を支点にして棒状本体１側へ曲げられる。従って、棒状部材Ｐの変形領域が第一第二両当て部材７Ａ，７Ｂで受けられている直線領域の延長線上又はその付近に達するまでジャッキ２の先端金具６を棒状本体１の側へ引き寄せることにより、棒状部材Ｐの遊端部の変形領域の変形を矯正して棒状部材Ｐの全体を元の直線状又はそれに近い状態に戻すことができる。
【００１４】
棒状部材Ｐの遊端部の変形領域の変形を矯正して元の直線状に戻し終えたならば、ジャッキ２のネジ軸４を逆回転させて先端金具６を棒状本体１から遠ざける方向に戻すことにより、棒状部材Ｐからジャッキ２及び当て部材７Ａ，７Ｂを外すことができる。尚、各当て部材７Ａ，７Ｂの位置や両当て部材７Ａ，７Ｂ間の間隔は、固定ボルト９を弛めた状態で摺動体１０を棒状本体１に沿って移動させ、位置調整後に固定ボルト９を締結して摺動体１０を棒状本体１に固定する方法で、棒状部材Ｐの変形領域の長さに応じて調整することができる。
【００１５】
上記第一参考例の装置は、遊端部が湾曲又は折曲変形している棒状部材Ｐに対し、その変形領域の曲げ矯正方向側に棒状本体１を配置し、当該棒状部材Ｐの変形領域をジャッキ２で引き寄せて直線状に矯正するものであるが、図４に示すように、当該棒状部材Ｐに対し、その変形領域の曲げ矯正方向側とは反対側に棒状本体１を配置し、当該棒状部材Ｐの変形領域をジャッキ２で押圧して直線状に矯正することができるように構成することも考えられる。
【００１６】
即ち、図４に示す第二参考例では、ジャッキ２の先端金具６には、棒状本体１と平行な向きの棒状部材Ｐをネジ軸４の軸心延長線上で棒状本体１から離れる方向に押し出すためのコの字形の押し係合部１５が設けられ、ジャッキ２に近い側の第一当て部材７Ａの先端金具１２には、図１に示した第二当て部材７Ｂの先端金具１２の引き受け部１４と同一の角フック形の引き受け部１４が設けられ、第二当て部材７Ｂの先端金具１２には、図１に示した第一当て部材７Ａの先端金具１２の押し受け部１３と同一のコの字形の押し受け部１３が設けられることになる。具体的には、図１に示した参考例の第一第二両当て部材７Ａ，７Ｂを一旦棒状本体１から抜き取り、順序を逆にして再度棒状本体１に装着し、ジャッキ２の先端金具６のみを、引き係合部８を有するものから押し係合部１５を有するものに交換することにより、構成することができる。
【００１７】
次に本発明の好適実施形態を図５〜図７に基づいて説明すると、図５に示す第一実施形態では、第一参考例における棒状本体１を、ジャッキ２に対し第一当て部材７Ａのある側とは反対側へ長くし、当該棒状本体１のジャッキ２に対し第一当て部材７Ａのある側とは反対側に、第一当て部材７Ａと同一の第三当て部材７Ｃを取り付けている。この構成によれば、長さ方向の中間部が一側方へ突出するように変形している棒状部材Ｐの当該変形領域を曲げ矯正することができる。即ち、棒状本体１を棒状部材Ｐの変形領域の曲げ矯正側に配置して、ジャッキ２の先端金具６（引き係合部８）を棒状部材Ｐの変形領域の中央部に係合させると共に、第一当て部材７Ａの先端金具１２（押し受け部１３）と第三当て部材７Ｃの先端金具１２（押し受け部１３）とを、棒状部材Ｐの変形領域の両端部に係合させ、係る状態でジャッキ２の先端金具６を棒状本体１側へ移動させることにより、第一第三両当て部材７Ａ，７Ｃ間の棒状部材Ｐの変形領域の中央部を棒状本体１側へ引き寄せ、当該棒状部材Ｐの変形領域を直線状に曲げ矯正することができる。
【００１８】
この第一実施形態では、上記のように第三当て部材７Ｃを使用する場合、第二当て部材７Ｂは使用しないので、棒状本体１から抜き取っておくことができる。勿論、第三当て部材７Ｃを使用する際に第二当て部材７Ｂが邪魔にならなければ、棒状本体１に取り付けたままにしておいても良い。又、第一参考例のように、第一第二両当て部材７Ａ，７Ｂを使用して棒状部材Ｐの遊端部の変形領域の曲げ矯正作業を行うときは、第三当て部材７Ｃを棒状本体１から抜き取っておいても良い。
【００１９】
図６に示す本発明の第二実施形態では、第二参考例における棒状本体１を、ジャッキ２に対し第一当て部材７Ａのある側とは反対側へ長くし、当該棒状本体１のジャッキ２に対し第一当て部材７Ａのある側とは反対側に、第一当て部材７Ａと同一の第三当て部材７Ｃを取り付けている。この第二実施形態の装置でも、第一実施形態と同様に、長さ方向の中間部が一側方へ突出するように変形している棒状部材Ｐの当該変形領域を曲げ矯正することができる。即ち、棒状本体１を棒状部材Ｐの変形領域の曲げ矯正側とは反対側に配置して、ジャッキ２の先端金具６（押し係合部１５）を棒状部材Ｐの変形領域の中央部に係合させると共に、第一当て部材７Ａの先端金具１２（引き受け部１４）と第三当て部材７Ｃの先端金具１２（引き受け部１４）とを、棒状部材Ｐの変形領域の両端部に係合させ、係る状態でジャッキ２の先端金具６を棒状本体１から遠ざける側へ移動させることにより、第一第三両当て部材７Ａ，７Ｃ間の棒状部材Ｐの変形領域の中央部を棒状本体１から離れる方向に押し出し、当該棒状部材Ｐの変形領域を直線状に曲げ矯正することができる。
【００２０】
この第二実施形態においても、上記のように第三当て部材７Ｃを使用する場合、第二当て部材７Ｂは使用しないので、棒状本体１から抜き取っておくことができる。勿論、第三当て部材７Ｃを使用する際に第二当て部材７Ｂが邪魔にならなければ、棒状本体１に取り付けたままにしておいても良い。又、第二参考例のように、第一第二当て部材７Ａ，７Ｂを使用して棒状部材Ｐの遊端部の変形領域の曲げ矯正作業を行うときは、第三当て部材７Ｃを棒状本体１から抜き取っておいても良い。
【００２１】
第一実施形態と第二実施形態とを同一構造の装置で実施するためには、図７に示すように、ジャッキ２として、その先端金具６に内向きの引き係合部８と外向きの押し係合部１５とを、押し係合部１５が外側になるように連設したものを使用すると共に、当て部材７Ａ，７Ｂ又は当て部材７Ａ〜７Ｃとして、その先端金具１２に内向きの引き受け部１４と外向きの押し受け部１３とを、押し受け部１３が外側になるように連設したものを使用すれば良い。
【００２２】
【発明の効果】
本発明の棒状部材の歪み取り装置は以上のように実施し且つ使用することができるものであって、係る本発明の請求項１又は２に記載の装置によれば、図８に示すような運搬用台車の周囲のパネルを構成する棒状部材の遊端部の湾曲又は折曲変形を矯正するときは、当該棒状部材の変形領域にジャッキの先端金具を係合させ、第一当て部材を当該棒状部材の変形領域の始端部付近に係合させると共に、第二当て部材を当該棒状部材の変形領域から離れた適当位置に係合させ、又、パネルの周囲枠の中間部が内向きに湾曲又は折曲変形している場合には、当該棒状部材の変形領域の中央部にジャッキの先端金具を係合させ、第一当て部材と第三当て部材とを当該棒状部材の変形領域の両端部付近に係合させた状態で、ジャッキを操作することにより、当該ジャッキの先端金具で棒状部材の変形領域を曲げ矯正方向に押し出し又は引き寄せて、当該棒状部材の変形領域の変形を直線状又はこれに近い状態に矯正することができる。
【００２３】
即ち、本発明装置を使用することにより、前記パネルを構成する棒状部材の遊端部だけでなく、中間部の湾曲又は折曲変形をネジ式ジャッキの操作だけで簡単容易に矯正することができ、変形したパネルを現場で簡単に原形又はそれに近い状態に復元させて、見栄え良く且つ安全に活用することができる。しかも請求項１に記載の本発明によれば、棒状部材の中間部の湾曲又は折曲変形を矯正するときに邪魔になる第二当て部材は取り外すことができ、請求項２に記載の本発明によれば、棒状部材の遊端部の湾曲又は折曲変形を矯正するときに邪魔になる第三当て部材は取り外すことができるので、それぞれの作業を容易に行える。
【００２４】
尚、請求項３に記載の構成によれば、パネルの周囲枠の遊端部（上端部）又は中間部が内向きに湾曲又は折曲変形している場合に、その周囲枠の変形の矯正作業を、当該パネルの外側に本発明装置を配置した状態で容易に行うことができる。
【００２５】
又、請求項４に記載の構成によれば、パネルの周囲枠の遊端部（上端部）又は中間部が外向きに湾曲又は折曲変形している場合に、その周囲枠の変形の矯正作業を、当該パネルの外側に本発明装置を配置した状態で容易に行うことができる。
【００２６】
又、請求項５に記載の構成によれば、請求項３に記載の装置に適合する矯正作業と請求項４に記載の装置に適合する矯正作業の何れをも１台の装置で選択的に行うことができる。
【００２７】
更に、請求項６に記載の構成によれば、変形を矯正すべき棒状部材の変形領域の長さや位置に応じて当て部材の間隔や位置を変更して、常に効率よく効果的に変形の矯正作業を行うことができる。
【図面の簡単な説明】
【図１】  第一参考例に係る装置の使用状態を示す一部縦断側面図である。
【図２】  同装置のネジ式ジャッキを示す縦断側面図である。
【図３】  Ａ図は同装置の第一当て部材を示す縦断側面図であり、Ｂ図は同装置の第二当て部材を示す縦断側面図である。
【図４】  第二参考例に係る装置の使用状態を示す一部縦断側面図である。
【図５】  本発明の第一実施形態に係る装置の使用状態を示す側面図である。
【図６】  本発明の第二実施形態に係る装置の使用状態を示す側面図である。
【図７】  Ａ図は当て部材の変形例を示す縦断側面図であり、Ｂ図はジャッキの変形例を示す縦断側面図である。
【図８】  本発明装置で矯正作業を行うことができる搬送用台車を示す斜視図である。
【符号の説明】
１    角パイプ利用の棒状本体
２    ネジ式ジャッキ
４    ネジ軸
５    ハンドルバー
６    ジャッキ先端金具
７Ａ〜７Ｃ    当て部材
８    ジャッキ先端金具の引き係合部
９    固定ボルト
１０    摺動体
１１    支柱部材
１２    当て部材先端金具
１３    当て部材先端金具の押し受け部
１４    当て部材先端金具の引き受け部
１５    ジャッキ先端金具の押し係合部
４３〜４５    搬送用台車のパネル
４８    パネル周囲枠
Ｐ    矯正される棒状部材
【図１】
0004022734.tif 000002
【図２】
0004022734.tif 000003
【図３】
0004022734.tif 000004
【図４】
0004022734.tif 000005
【図５】
0004022734.tif 000006
【図６】
0004022734.tif 000007
【図７】
0004022734.tif 000008
【図８】
0004022734.tif 000009